(57)【要約】【課題】従来、仮性包茎矯正リングは規格品を使用していたが、男性器はサイズと膨張度に個人差あり、規格品は装着時の違和感、外れ等の不満があった。そこで、自分で最適なリングを製作調整できる包茎矯正リング製作キットの提供を課題とした。【課題手段】弾力性のあるゴム等を素材として、チューブ又は成形加工した空洞胴体部に、勃起時等の伸縮に敏感に対応するゴム糸をつないで環状にし、チューブ及びゴム糸の長さを、自分でそのサイズに合わせて裁断と製作をし、膨張率対応のゴム糸の張り具合をゴム糸接合端子で調節して常時使用できる。また胴体部に磁気があるため、男性器の血行を促進し、平常時でも男根が萎えにくい効果が望める。以上これらのパーツでオリジナル包茎矯正リングが作れる。【選択図】    図７
2004174195.tif 000002
【特許請求の範囲】
【請求項１】
弾力性と伸縮性に富んだ良質のゴム等を素材とした、外径数ミリ程度のゴムチューブ（２３）を男性器亀頭冠状溝（３）に沿って巻きつけ、その一周の長さより短めに切断してＵ字型ゴムチューブ胴体部（１）としたものと、微弱な力で伸縮するゴム糸（４）を、ゴムチューブの両端穴に入れ環状にし、その両方の接合部を固定する為にゴム等を素材としたゴム球（９）と、プラスチック製の軸（１１）を組み合わせたマッチ針型ゴム糸接合端子（２）で、両端を止めてＯリングとなし、そのチューブの中に楕円球状の永久磁石（５）を入れることも可能なこの形状と構造のリングを、男性器亀頭冠状溝に沿って装着して、男性器の亀頭へ包皮が被さらないようにすることを、特徴とした自分で製作とサイズ調整ができる包茎矯正リング。
【請求項２】
請求項１の形状、構造、組み合わせの中で、マッチ針型ゴム糸接合端子（２）の代わりに、ゴム素材で、ゴム糸通し穴（１５）を設け成形加工した爪型ゴム糸接続端子（１４）を、Ｕ字型チューブ胴体部（１）の両先端に組み込んで、ゴム糸伸縮有効部分を長くできることを、特徴とした自分で製作とサイズ調整ができる包茎矯正リング。
【請求項３】
請求項１のＵ字型ゴムチューブ胴体部（１）の中に、プラスチック等を素材とし、コの字型の形状で、両脇にある程度柔軟性を持たせた尿道確保型枠（１７）を作り、それをチューブ胴体部の中央位置に内包し、尿道部を大きく確保する構造と形状を、製作キットの一部とした自分で製作とサイズ調整ができる包茎矯正リング。
【請求項４】
請求項３のコの字型尿道確保型枠（１７）をはめ込んだゴムチューブ胴体部（１）の形状と同じ様な形状をした物を、磁気ゴム素材等で、プレス成形加工して製造した空洞型胴体部（２０）とし、それぞれＵ字型に成形加工したマッチ針型端子軸の差し込み穴付き空洞型胴体部（２５）タイプと、Ｕ字型に成形加工したゴム糸通し穴付き空洞型胴体部（２６）タイプを、製作キットの一部とした自分で製作とサイズ調整ができる包茎矯正リング。
【発明の詳細な説明】
【０００１】
【発明の属する技術分野】
本発明は、男性器が仮性包茎等のため衛生上、または心理上の弊害を防止または軽減及び改善することを目的としており、自分で製作とサイズ調整ができ、男根に脱着可能なリング状の亀頭部露出維持装置で、包茎矯正具及び性補助具に関するものである。
【０００２】
【従来の技術】
日本人男性の仮性包茎は数が多いと言われる反面、その事を人に相談することも出来ず、それが悩みの種となり、それは多感な青少年の頃、特に顕著である。また、その包茎は不衛生になりがちなうえ、精神衛生上も好ましくない等の問題があり、従来それを矯正改善するには、手術による方法と、包茎矯正器具による方法があるが、後者には大別して、亀頭冠状溝付近に装着するリング等方式と、男性器の根元に装着し、ベルト等で体の一部に固定して、それぞれ亀頭部を露出する方法等がある。
【０００３】
先行する技術として特開２００２−２５３５８８、特開２００２−１０２２６５、特開平１１−３３２８９７、特開平１１−２０６７９７、特開平０９−１４０７３７、特開平０９−０７５３８４、特開平０７−１８４９４５、実登３０８０３１７、実登３０７７６２２、実登３０７４４８９、実登３０６７６９６、実登３０５１９２４等がある。
【発明が解決しようとする課題】
【０００４】
これら先行技術には次のような欠点があった。男性器はサイズおよび膨張度合いに著しく個人差があり、リング方式の規格品は、サイズ不適合等により使用中に外れたり、膨張時痛みを伴ったり、尿道を圧迫し排尿困難になったり、トイレや風呂場で恥ずかしい思いをすることのいずれかが有った。また体の一部や陰嚢に固定する方法は、その取り扱いが面倒であった。本発明はこれらの欠点を改良し、そして何より、人に知られること無く、使用者が各自のサイズに合わせてリングの大きさと、伸縮度を各自に合った、最適なサイズに製作と調整ができる事を課題とした。
【０００５】
【課題を解決する為の手段】
上記課題解決のため、弾力性のあるゴム等を素材として、ゴムチューブ胴体部又はプレス成形加工等した空洞の胴体部に、勃起時と平常時の伸縮に敏感に対応するゴム糸をつないで、リング状にした構造からなり、ゴムチューブは利用者本人のサイズに合わせて切断でき、膨張率に対する対応として伸縮度の異なる２種類のゴム糸から選択交換できるうえ、ゴム糸の張り具合も利用者本人がゴム糸接続端子部分で調節できる等、全て自分でできるため、自分のサイズを第三者に知られる事が無い。またリング内に強力磁石を組み込む事で、男性器の血行を促進し、平常時でも男根が萎えにくい効果が望め、手軽にオリジナルサイズの包茎矯正リングができ、常時使用可能となる。
【０００６】
【発明の実施の形態】
発明の実施形態を図面に基づいて説明する。尚実施例の説明において寸法等を示しているが、これは一例でありこれらの寸法に限定される物ではない。図１はゴムチューブ胴体部１に、マッチ針型接続端子２を使用した製作品を勃起時の、男性器亀頭冠状溝３に装着した一例の正面図である。ゴムチューブ胴体部１の寸法の一例として外径６ｍｍ内径２ｍｍ程度のもの、またゴム糸４は外径１，０ｍｍまたは１，５ｍｍ程度の丸紐タイプを用いる。チューブ１の中に入れる永久磁石５は、楕円球状の物を１ないし２個を左右対称に配置することが望ましい。このことにより、チューブのカーブが尿道部６のカーブに密着し、尿道部６が確保でき排尿時等に支障が生じない。また永久磁石の磁気に依る血行促進効果で、亀頭部７等の成長が望め仮性包茎の改善が期待できる。
【０００７】
図２は弛緩時いわゆる平常時の萎縮した状態の男性器（以下弛緩時と表現する。）に本発明装置であるゴムチューブ１と、マッチ針型接続端子２で製作した製品を、亀頭冠状溝３に装着した一例の正面図である。勃起状態の図１から男性器２２が縮むとゴム糸４も縮み、それに連動して、ゴムチューブ胴体部１の直径が縮まるため男性器に連動密着し、更にゴム糸４が亀頭冠と亀頭冠状溝の間に引っかかって、本リングは外れない。またチューブ１とゴム糸接続端子２が、包皮８のストッパーのとなり、亀頭への皮被りを阻止できる。
【０００８】
図３はマッチ針型ゴム糸接続端子２で、チューブ１とゴム糸４を繋いだ様子の部分拡大図である。ゴム糸接続端子２の構造は、ゴム球９の軸差し込み穴１０にプラスチック製等で作った軸足（以下プラスチック製の軸１１という）を差し込んだ物で、この軸差し込み穴１０は差し込む軸１１の長さより長くし、深層部を空洞としてゴム球９に弾力性を持たせることが望ましい。ゴム糸４の全長は露出部分が１５ｍｍ前後、チューブの中に入れる隠ぺい部は左右両方で３０ｍｍ程度、合計４５ｍｍ程度に切断し、その切断した片方のゴム糸端１２を、チューブの穴１３に入れプラスチック製の軸１１を、その上から押し込んで固定する。残りのゴム糸端１２も同じ様に取り付ければリングになる。この端子２構造の寸法一例として、ゴム球は楕円状の半球型で直径６ｍｍ、長さは５ｍｍ、６ｍｍ、７ｍｍ等の数種類とし、包皮の長さや弛み具合により皮被りしない長さの種類ものを選定できる。そして、ゴム球から露出している軸１１の寸法は直径２，５ｍｍ長さ１０ｍｍ程度である。
【０００９】
図４は請求項２の爪型ゴム糸接合端子１４でＵ字型ゴムチューブ胴体１とゴム糸４を接続した部分の断面図である。この爪型ゴム糸接続端子１４を使用するゴムチューブ１の大きさは、外径７ｍｍ内径５ｍｍ程度のものが良く、その場合、爪型ゴム糸接続端子１４の外径は６ｍｍ程度とし、ゴムチューブ穴１３の中に半分食い込ます。爪型ゴム糸接続端子１４は、ゴム素材等を用いてプレス成形加工し、内径２ｍｍ程度のゴム糸通し穴１５を有する。またこのゴム糸４は直径１，０ｍｍまたは１，５ｍｍ程度の丸紐タイプのゴム糸４とし、男性器の膨張度によって使い分け、ゴム糸の長さ等は前述の方法としゴム糸止め１６で止める。このような構造にすることで、ゴム糸有効伸縮部分が長くなり、軽微な力で延びる為、男性器への圧痛感を抑える効果がある。
【００１０】
図５は男性器の勃起時に、亀頭冠状溝３に爪型ゴム接続端子１４と、チューブ１を用いた製作品を、装着した様子の正面図である。このタイプは、ゴム糸４の部位を尿道部６の位置として、装着した場合に尿道部が特に確保できる。
【００１１】
図６は男性器の弛緩時に、爪型ゴム糸接続端子１４とチューブ１を用いた製作品を亀頭冠状溝３に沿って装着した様子の正面図である。この場合もゴム糸部４を尿道部６の位置で使用できる、男性器の形状によってはゴム糸部６を反転して使用しても差し支えない。
【００１２】
図７は、図１の発明装置に、コの字型の尿道確保型枠１７をチューブ１の中に入れ、男性器の尿道部分６を確実に確保できるように工夫した物である。コの字型１７尿道確保型枠の寸法一例として、中央の一の字に当たる部分の長さは１５ｍｍを基準に大中小３種類揃え尿道等の大きさによって、選択するのが望ましい。この図は中型を内包したタイプを亀頭冠状溝３に装着した勃起時の正面図である。尿道確保型枠１７は構造状の特徴として、その両端は柔軟性を持たせ、男性器の勃起時は広がり、弛緩時は狭まって元に戻る、いわゆる復元力に富んだ形状記憶タイプのものが望ましい。また、この図の一例はゴムチューブの穴に入る大きさの、楕円球状永久磁石５をチューブの中に一対入れた様子を示しているが、永久磁石は二対でも良く、その素材を選択するに当たっては、日常内密に肌身に装着する装置である為、飛行機利用等における金属探知機等でも感知されない様に、金属類以外の素材が望ましい。
【００１３】
図８は同じく亀頭冠状溝３に装着した、弛緩時の正面図である。構造及び仕組み等は前述のとおりである。
【００１４】
図９は前述による構造中、胴体部に当たるゴムチューブの代わりに、磁気を帯びたゴム素材を、図のようにＵ字型にプレス成型加工した空洞型の胴体部２０に、ゴム糸４を取り付け製作して、勃起時に装着した正面図である。そのＵ字型胴体部の尿道確保部１８の寸法一例として、ある程度伸縮可能な薄さにし、最小巾は４ｍｍ、厚さは２，０ｍｍ程度とする。それ以外胴体部２０の寸方の一例として巾６ｍｍ程度とし、厚さは尿道確保部１８から自然に厚くなり、ゴム糸接合部１９付近は７ｍｍ程度とし、包皮を食い止める高さとする。また、男性器に接触する面を広くすることで、勃起時の圧痛感が緩和できる、以上のことを総合して台形楕円形の形状が望ましい。
【００１５】
図１０は図９のゴム糸中通し接合部付近の正面を詳細にした断面図である。これは空洞タイプの胴体部の一部であり、ゴム糸通し穴１５は２ｍｍ程度の円形とし、ゴム糸４は１，０ｍｍまたは１，５ｍｍ程度の丸紐状の物を、男性器の膨張度によって使い分け使用する。この構造で図４の爪型ゴム接続端子１４と同じ様な効果がある。ゴム糸の両端をゴム糸通し穴１５に貫通させ図のように外側からゴム糸止め１６を差し込んで固定し、余ったゴム糸は切断し、ゴム止め１６は通し穴１５の中に隠れるように差し込む。このような構造にすることで図４の爪型接続端子と同様に、ゴム糸有効伸縮部分が長くなり、軽微な力で延びる為男性器への圧痛感を抑える効果がある。
【００１６】
図１１は弛緩時の男性器亀頭冠状溝３に、前述のタイプを装着した正面図であるが、胴体部１の実施例は図９と、それ以外の実施例は図８とそれぞれ同様である。
【００１７】
図１２は前述した図９、図１１と同様の胴体部２０の両先端部分に、マッチ針型ゴム糸接続端子２を取り付け製作後装着した一例である。この胴体部２０にはマッチ針型ゴム糸接合端子軸１１の差込穴２１を有しており、その寸法の一例として、この差込穴２１は直径２ｍｍ程度深さ１５ｍｍ程度とし、その他の構造及び効果等実施例は前述のとおりであり、図は勃起時の男性器亀頭冠状溝３に本装置を装着した、正面図である。
【００１８】
図１３は前述のゴム素材でＵ字型に成型加工した胴体部２０に、マッチ針型ゴム糸接続端子２を使用した一例のうち、弛緩時の男性器亀頭冠状溝３に装着した正面図であるが、素材、形状、構造等実施例は図１２と同様である。
【００１９】
図１４は本発明の包茎矯正リングキットで図７の製品を制作し、男性器亀頭冠状溝３に装着した側面図である。図のように包皮８は胴体部１とマッチ針型ゴム接続端子２で止まり、亀頭まで達せず亀頭部は常に露出状態にある。
【００２０】
図１５は製作キットの一例である。このキットを手に入れ、切断用にカッターナイフがあれば自分で製作でき、装着後自分のサイズや膨張度によって、自分で微調整可能となる。尚ゴム糸は１，５ｍｍと１，０ｍｍの２種類、マッチ針型接続端子はゴム球の長さを５ｍｍ，６ｍｍ，７ｍｍ、の左右３対セット、コの字型尿道確保型枠は大中小３種類とし、それぞれ男性器の膨張度、包皮の長さ、尿道の大きさ等によって選択する事ができる。その他のパーツについての説明は前述のとおりであるので省略する。
【００２１】
【発明の効果】
本発明は以上の説明したように構成されているので、以下に記載されるような効果がある。
【００２２】
ゴムチューブ胴体部またはゴム成形加工による胴体部と、ゴム糸部を分離して接合端子で簡単に繋ぐ事ができる構造の為、使用者本人が包茎リングのサイズを、ゴムチューブとゴム糸を男性器のサイズに合わせて裁断でき、接続端子で更に、膨張度に対するゴム糸の張り具合を調節できるため、自分のサイズと特徴に合ったオリジナル製品が作れる。
【００２３】
既製品の包茎矯正リングを購入する時のように、自分のサイズに合うかどうか思案する必要が無いうえ、サイズが合わないということも無い。またサイズ別の既製品購入時のように、自分のサイズのＳＭＬを第三者に言う必要も無い。つまり多感な青少年が、恥ずかしい思いをしないで済む効果がある。その上構造が簡単なため、安価で購入製作でき、包茎を矯正改善できる効果がある。
【００２４】
自分のサイズに合った、オリジナル包茎矯正リングが作れるため、サイズ不適合による装着時の違和感が無く、また軽微な力で伸縮する丸紐タイプのゴム糸を使うことで、装着時ゴム糸が亀頭冠と亀頭冠状溝との間に引っかかる作用で、男性器が極端に萎縮した場合でも外れにくい。またゴム糸は伸縮度が高いので勃起時において包茎矯正リングが拡大しても陰茎に復元力による圧迫感や痛みがほとんど感じられない。
【００２５】
ゴム糸中通しタイプの接合端子又ゴム糸中通し接合部を有する包茎矯正リングは膨張度の高い男性器用として効果がある。
【００２６】
リング内に強力磁石内包型または磁気ゴム素材を使用することで男性器の血行を促し平常時でも男根が萎えにくい効果が望める。また本発明装置は金属類を使用しない為、空港等での金属探知機に反応しないので常時装着可能である。
【図面の簡単な説明】
【図１】ゴムチューブとマッチ針型ゴム糸接合端子からなる本発明の製作品を装着した勃起時の正面図である。
【図２】ゴムチューブとマッチ針型ゴム糸接合端子からなる本発明の製作品を装着した弛緩時の正面図である。
【図３】マッチ針型ゴム糸接合端子でＵ字型胴体とゴム糸を接続した部分の断面図である。
【図４】爪型ゴム糸接合端子でＵ字型胴体とゴム糸を接続した部分の断面図である。
【図５】ゴムチューブと爪型ゴム糸接合端子で構成した本発明の製作品を装着した勃起時の正面図である。
【図６】ゴムチューブと爪型ゴム糸接合端子で構成した本発明の製作品を装着した弛緩時の正面図である。
【図７】チューブにコの字型尿道確保型枠を挿入したタイプからなる本発明の製作品を装着した勃起時の正面図である。
【図８】チューブにコの字型尿道確保型枠を挿入したタイプからなる本発明の製作品を装着した弛緩時の正面図である。
【図９】成形加工した胴体にゴム糸中通し接合部を有したタイプからなる本発明の製作品を装着した勃起時の正面図である。
【図１０】成形加工した胴体タイプのゴム糸中通し接合部の断面図である。
【図１１】成形加工した胴体にゴム糸中通し接合部を有したタイプからなる本発明の製作品を装着した弛緩時の正面図である。
【図１２】成形加工した胴体とマッチ針型ゴム糸接合端子で構成した本発明の製作品を装着した勃起時の正面図である。
【図１３】成形加工した胴体とマッチ針型ゴム糸接続端子で構成した本発明の製作品を装着した弛緩時の正面図である。
【図１４】男性器に本発明装置の一例を装着した側面図である。
【図１５】製作キットの一例を示した図である
【符号の説明】
１  Ｕ字型ゴムチューブ胴体部
２  マッチ針型ゴム糸接合端子
３  亀頭冠状溝
４  丸紐タイプのゴム糸
５  永久磁石
６  尿道部
７  亀頭部
８  包皮
９  ゴム球
１０  軸差し込み穴
１１  プラスチック製の軸
１２  ゴム糸端
１３  チューブ穴
１４  爪型ゴム糸接合端子
１５  ゴム糸通し穴
１６  ゴム糸止め
１７  コの字型尿道確保型枠
１８  尿道確保部
１９  ゴム糸接合部
２０  Ｕ字型に成形加工した胴体部
２１  Ｕ字型に成形加工した胴体部のマッチ針型端子軸の差込穴
２２  男性器
２３  ゴムチューブ
２４  尿道確保型枠内蔵ゴムチューブ裁断前の胴体部
２５  Ｕ字型に成形加工したマッチ針型端子軸の差込穴付き空洞型胴体部
２６  Ｕ字型に成形加工したゴム糸中通し穴付き空洞型胴体部
２７  空洞部
【図１】
2004174195.tif 000003
【図２】
2004174195.tif 000004
【図３】
2004174195.tif 000005
【図４】
2004174195.tif 000006
【図５】
2004174195.tif 000007
【図６】
2004174195.tif 000008
【図７】
2004174195.tif 000009
【図８】
2004174195.tif 000010
【図９】
2004174195.tif 000011
【図１０】
2004174195.tif 000012
【図１１】
2004174195.tif 000013
【図１２】
2004174195.tif 000014
【図１３】
2004174195.tif 000015
【図１４】
2004174195.tif 000016
【図１５】
2004174195.tif 000017